(57)【特許請求の範囲】
【請求項１】
正面板、背面板、側面板、天板並びに底板から成る透明な樹脂シートを折曲して形成される商品陳列用容器であって、陳列用バーに挿通して容器を吊り下げ得るフック片の基部を正面板の上端中央に連接して天板から切り起こし自在に形成し、正面板の高さを背面板より若干低く形成して、天板を前下がりの斜面に形成し、正面板に天板を連接し、背面板に天板の内面に重ねられる被覆板を連接してフック片の切り起こし穴を被覆板で隠蔽し、天板に差込片を連接し、該差込片を差込むためのスリットを背面板と被覆板との接合縁に形成し、背面板の上端中央に指掛け孔を形成し、背面板の内面に差し込まれた差込片への指かけを容易とし、正面板に連続して下方に延び出す正立用突起を、底板から切り起こして形成し、該正立用突起の切り起こし位置を、側面板に連接されるフラップで被覆される領域内に配して、正立用突起の切り起こし穴をフラップで被覆するようにしたことを特徴とする商品陳列用容器。
【発明の詳細な説明】
【０００１】
【発明の属する分野】
この発明は、販売のために商品を収納して店頭に陳列する商品陳列用容器に関し、特に容器を透明ケースで形成すると共に、陳列用のバーに吊り下げるためのフック部を天面に有し、且陳列棚等に正立して載置するための突起部を底面に有する商品陳列用容器に関する。
【０００２】
【従来の技術】
従来、化粧品や日用雑貨品等の商品を販売のために収納して店頭に陳列する商品陳列用容器は、収納した商品を外部から容易に視認可能とするために、近年紙容器に替わって透明な合成樹脂製の容器が多用されて来ている。このような透明な合成樹脂製の容器は、通常紙製容器の形成と同様に合成樹脂のシートを折曲して箱形状に形成しているが、樹脂シートの張りにより、容器の底面が若干膨出して正立させることが困難となるため、直立用の突起を容器底面に切り起こして形成すると共に、陳列用のバーに吊り下げるためのフック片を容器天面に形成している。
【０００３】
従来の容器は、吊り下げ用のフック片が容器天面の奥にあるため、吊り下げた時に容器が前倒れ状態となり、視点より下方に吊り下げられた状態では収納された商品が見えづらくなっていた。又、吊り下げた時に収納された商品の重さでフックが延設された背面板と天板との間に隙間が発生し、埃が入りやすい欠点があった。更に、容器を正立させるための突起は、容器の底板から切り起こされており、切り起こしにより生じた孔から埃が侵入してくる欠点もあった。
【０００４】
【発明が解決しようとする課題】
この発明は、フック片で吊り下げた時容器が前倒れ状態となるのを防止し、商品の視認性を向上すると共に、容器内への埃の侵入を効果的に防止し得るようにした透明な合成樹脂製容器を提供せんとするものである。
【０００５】
【課題を解決するための手段】
上記課題を解決するためにこの発明が採った手段は、正面板、背面板、側面板、天板並びに底板から成る透明な樹脂シートを折曲して形成される商品陳列用容器であって、陳列用バーに挿通して容器を吊り下げ得るフック片の基部を正面板の上端中央に連接して天板から切り起こし自在に形成し、正面板の高さを背面板より若干低く形成して、天板を前下がりの斜面に形成し、正面板に天板を連接し、背面板に天板の内面に重ねられる被覆板を連接してフック片の切り起こし穴を被覆板で隠蔽し、天板に差込片を連接し、該差込片を差込むためのスリットを背面板と被覆板との接合縁に形成し、背面板の上端中央に指掛け孔を形成し、背面板の内面に差し込まれた差込片への指かけを容易とし、正面板に連続して下方に延び出す正立用突起を、底板から切り起こして形成し、該正立用突起の切り起こし位置を、側面板に連接されるフラップで被覆される領域内に配して、正立用突起の切り起こし穴をフラップで被覆するようにしたことを特徴とする。
【０００６】
【発明の実施の形態】
この発明の好ましい実施の形態を、以下に詳細に説明する。図面を参照して、(１)はこの発明にかかる商品陳列用容器を示し、従来の紙製容器と同様に正面板(２)、背面板(３)、側面板(４)、天板(５)、底板(６)を有し、合成樹脂製の透明シートを折曲して形成される。図５に示すように、正面板(２)の上端には、天板(５)が連接され、更に差込片(７)が連接される。背面板(３)の上端には、天板(５)の内面に重ねられる被覆板(８)が連接されると共に、背面板(３)と被覆板(８)の接合縁には前記差込片(７)を差し込むためのスリット(９)が形成される。差し込まれた差込片(７)の抜き出しを容易にするために、背面板(３)の上部中央にスリット(９)に連続して略半円形の指掛け孔(10)が形成される。
【０００７】
天板(５)の中央には、吊下バーを挿通する挿通孔(11)を穿孔したフック片(12)が、天板(５)から容易に切り起こし自在に形成され、切り起こされたときフック片(12)はその基部が正面板(２)の上端に連続する。かくして、フック片(12)は陳列用容器の前部に形成されることとなり、吊り下げた時、容器は前倒れ状態ではなく、下端が前方に出た状態で吊り下げられるため、視点より下方に吊り下げられていても、容器正面の視認が容易となる。フック片と挿通孔(11)の中抜き部とは、容易に切り離すことが出来る状態で天板に連結されている。フック片(12)を切り起こしたとき、天板(５)には穴が明くが、この孔は天板の内面に重ねられた被覆板(８)で被覆されているため、埃の侵入は防止される。
【０００８】
図１，２，７，８に示すように、正面板(２)は、背面板(３)より若干高さが低く形成されており、この結果天板(５)は前端が低くなった傾斜面に形成される。このように天板(５)を前下がりの傾斜面とすることにより、天板に印刷された文字やデザイン(13)を容器の正面や斜め上方から容易に視認することが可能となる。図５，９，１１に示すように、側面板(４)の上下端にはフラップ(14)が形成され、容器内に折り込まれるようになっている。正面板(２)の下端には、底板(６)が連接され、更に差込片(15)が連接されており、背面板(３)の内面に差し込まれて容器の底面を構成する。
【０００９】
正面板(２)と底板(６)との接合縁には、正立用の突起(16)が切り起こされ、又背面板(３)の下端には突片(17)が下方に向かって延設されている。突起(16)は、容器の側面に近接して２個形成され、前記フラップ(14)の存在する領域内において終端するように長さと位置が選定されている。かくして、図４に示すように突起(16)を切り起こした穴は、フラップ(14)で被覆され埃の侵入が防止される。
【００１０】
【発明の効果】
この発明にかかる商品陳列用容器によれば、吊り下げ用フックを容器の前縁に形成してあるので、吊り下げた時図１３に示すように容器は下部が前方に出るような状態で支持され、上方から見た場合にでも収納された商品の視認を確実に行うことが出来る利点がある。しかも、容器天面は前下がりの傾斜面となっているため、天面に形成された文字やデザインの視認が容易となる。更に、フックにより吊り下げ時に容器の上面に隙間が生じないと共に、フックを切り起こした穴は天面板の内面から被覆板で被覆し、容器底面の正立用突起の切り起こし穴は、フラップで被覆するようにしてあるので、容器内に埃が侵入してくるのを効果的に抑制することが出来る。
【図面の簡単な説明】
【図１】この発明にかかる容器を正面から見た斜視図
【図２】この発明にかかる容器を背面から見た斜視図
【図３】天面拡大図
【図４】底面拡大図
【図５】天面の組立前の状態を示す斜視図
【図６】天面の組立途中を示す斜視図
【図７】天面の組立途中を示す断面図
【図８】フックを切り起こした状態を示す断面図
【図９】底面の組立前の状態を示す斜視図
【図１０】底面の組立状態を示す斜視図
【図１１】底面の組立途中の状態を示す断面図
【図１２】底面の組立状態を示す断面図
【図１３】吊り下げバーに吊り下げた状態を示す側面図
【符号の説明】
(１)商品陳列用容器
(２)正面板
(３)背面板
(４)側面板
(５)天板
(６)底板
(７)差込片
(８)被覆板
(９)スリット
(10)指掛け孔
(11)挿通孔
(12)フック片
(13)文字・デザイン
(14)フラップ
(15)差込片
(16)突起
(17)突片
【図１】
0003667923.tif 000002
【図２】
0003667923.tif 000003
【図３】
0003667923.tif 000004
【図４】
0003667923.tif 000005
【図５】
0003667923.tif 000006
【図６】
0003667923.tif 000007
【図７】
0003667923.tif 000008
【図８】
0003667923.tif 000009
【図９】
0003667923.tif 000010
【図１０】
0003667923.tif 000011
【図１１】
0003667923.tif 000012
【図１２】
0003667923.tif 000013
【図１３】
0003667923.tif 000014